(57)【要約】      （修正有）【課題】全体として安定性が高く、水漏れや逆流を防止でき、容易に取り外してクリーンにでき、ファンの効率が高く、構造が丈夫で、保護効果が高く、安全性が高く、操作しやすく、清潔で高級感のある外観をしており、性能が最適化された加湿器とする。【解決手段】ベース１と、吐水口が設置されたタンク２と、霧化装置１２と、ベースに設置されて霧化装置が取り付けられた貯水室１１と、霧化装置による霧を加湿器から排出する排霧通路と、タンク中の水が貯水室に入れられるように吐水口の開閉を制御する吐水制御装置と、上部が開口して水漏れを防止する外被覆体７とを備え、タンクは着脱可能に外被覆体内に設置され、外被覆体の上端の最低点がタンクから外部へ漏れた水の最高水位より高い、加湿器とする。【選択図】図１
2019168211.tif 000002
【特許請求の範囲】
【請求項１】
ベースと、吐水口が設置されたタンクと、霧化装置と、ベースに設置されて霧化装置が取り付けられた貯水室と、霧化装置による霧を加湿器から排出する排霧通路と、タンク中の水が貯水室に入れられるように吐水口の開閉を制御する吐水制御装置とを備える加湿器であって、
上部が開口して水漏れを防止する外被覆体をさらに備え、タンクは着脱可能に外被覆体内に設置され、外被覆体の上端の最低点がタンクから外部へ漏れた水の最高水位より高いことを特徴とする加湿器。
【請求項２】
さらにダクトとファンを備え、
前記ダクトは前記ファンから吹き出された風を前記排霧通路内に導入し、上ダクトと下ダクトを含み、前記上ダクトの吹き出し口が加湿器の上部に位置し前記下ダクトに連通し、前記上ダクトの吹き出し口の最低点のレベル高さがタンクから外部へ漏れた水の最高水位より高いことを特徴とする請求項１に記載の加湿器。
【請求項３】
前記上ダクトは前記外被覆体に設置されることを特徴とする請求項２に記載の加湿器。
【請求項４】
前記排霧通路に凹キャビティ及び／又は前記タンクに凹キャビティが設けられることを特徴とする請求項２又は３に記載の加湿器。
【請求項５】
前記上ダクトの吹き出し口は前記凹キャビティに連通し、前記排霧通路の凹キャビティ及び／又は前記タンクの凹キャビティは前記下ダクトとなることを特徴とする請求項４に記載の加湿器。
【請求項６】
前記下ダクトはさらに、前記凹キャビティ内に係合された下ダクト壁を含むことを特徴とする請求項４に記載の加湿器。
【請求項７】
前記排霧通路と前記タンクは独立に設置され、前記タンクはキャビティが形成され、前記排霧通路の全部又は一部が前記キャビティ内に位置することを特徴とする請求項１に記載の加湿器。
【請求項８】
さらに加熱装置を備え、
前記タンクの上部にさらに給水口が設置され、前記排霧通路は、前記霧化装置が作動状態下で生じた水のエネルギー柱が前記排霧通路内にあるように前記霧化装置の真上に設置され、ファンは前記加熱装置により生じた蒸気及び前記霧化装置により生じたミストを吹き出すことを特徴とする請求項１に記載の加湿器。
【請求項９】
前記吐水制御装置は検出駆動機構と吐水部を含み、前記吐水部は前記吐水口に設置され、直列している第１吐水孔と第２吐水孔を有し、前記第１吐水孔と前記第２吐水孔にはそれぞれバルブが設置され、前記バルブは、前記検出駆動機構による信号に基づいて作動して前記第１吐水孔と前記第２吐水孔を開閉し、それぞれ独立に前記第１吐水孔と前記第２吐水孔を閉じることができることを特徴とする請求項１に記載の加湿器。
【請求項１０】
前記バルブは、バルブシート、バルブコア、ウォーターシール部材及びリターン部材を含み、前記バルブコアは前記検出駆動機構による信号に基づいて作動して前記ウォーターシール部材と前記リターン部材を通して前記第１吐水孔と前記第２吐水孔を開閉することを特徴とする請求項９に記載の加湿器。
【請求項１１】
前記バルブコアは第１バルブコアと第２バルブコアを含み、前記ウォーターシール部材は第１ウォーターシール部材と第２ウォーターシール部材を含み、前記第１バルブコアは前記第１ウォーターシール部材に接続され、前記第２バルブコアは前記第２ウォーターシール部材に接続され、前記第１バルブコアと前記第２バルブコアの間に連動機構が設置され、前記第１吐水孔と前記第２吐水孔が開いた状態にある場合、前記連動機構は、前記第２ウォーターシール部材の前記第２吐水孔に対する変位を前記第１ウォーターシール部材の前記第１吐水孔に対する変位より大きくすることを特徴とする請求項１０に記載の加湿器。
【請求項１２】
前記連動機構は前記第２バルブコアの最上部に形成されて前記第１バルブコアの底部と嵌め合う突き出しボスであり、前記第１ウォーターシール部材は前記第１吐水孔の上方、前記第２ウォーターシール部材は前記第２吐水孔の上方に位置することを特徴とする請求項１１に記載の加湿器。
【請求項１３】
前記連動機構は前記第２バルブコアの最上部に設置されて前記第１バルブコアの底部に挿入されたソフトコネクタであり、前記第１ウォーターシール部材は前記第１吐水孔の下方、前記第２ウォーターシール部材は前記第２吐水孔の下方に位置することを特徴とする請求項１１に記載の加湿器。
【請求項１４】
前記連動機構は前記第２バルブコアに設置された斜面体と前記第１バルブコアに設置された斜面スライド溝とを含み、前記斜面体は前記斜面スライド溝内に挿入され且つ前記第１バルブコアを駆動して運動させ、前記第１バルブコアと前記第２バルブコアは一定の角度をなして設置されることを特徴とする請求項１１に記載の加湿器。
【請求項１５】
前記バルブコアは第１バルブコアと第２バルブコアを含み、前記ウォーターシール部材は第１ウォーターシール部材と第２ウォーターシール部材を含み、前記第１バルブコアは前記第１ウォーターシール部材と嵌め合い、前記第２バルブコアは前記第２ウォーターシール部材と嵌め合い、前記第１バルブコアと前記第２バルブコアの間に連動機構が設置され、前記連動機構は前記第２バルブコアの最上部に形成されて前記第１バルブコアの底部と嵌め合う突出しブロックであることを特徴とする請求項１０に記載の加湿器。
【請求項１６】
前記第１バルブコアに第１水通過孔と第１放出孔が設置され、前記第２バルブコアに第２水通過孔と第２放出孔が設置され、前記第１水通過孔は前記第１ウォーターシール部材と嵌め合い、前記第２水通過孔は前記第２ウォーターシール部材と嵌め合い、前記第１バルブコアと前記第２バルブコアはそれぞれ中空構造を有し、前記中空構造はそれぞれ第１水流路と第２水流路となり、前記第１水通過孔と前記第１放出孔は前記第１水流路に連通し、前記第２水通過孔と前記第２放出孔は前記第２水流路に連通することを特徴とする請求項１５に記載の加湿器。
【請求項１７】
前記第１水通過孔の内径は前記第２水通過孔の内径より小さいことを特徴とする請求項１６に記載の加湿器。
【発明の詳細な説明】
【技術分野】
【０００１】
本発明は加湿器の分野に関する。
【背景技術】
【０００２】
生活水準の改善に伴い、生活環境の快適性の要求はますます高くなっており、空気湿度は快適性に影響する重要な要素の１つであり、特に北部地域やエアコンを長時間使用する場所では、空気が比較的乾燥するため、加湿器は多くの家庭に不可欠な小型家電になりつつある。
【０００３】
現在、加湿器のタンクから水が漏れた場合においても、水がファン、電気制御素子または周囲環境に浸入しないように、加湿器のハウジングと貯水タンクとを一体に設置し、すなわち、加湿器のハウジングにより形成されたキャビティを貯水キャビティとすることが一般的であるが、このような構造には、貯水タンクを加湿器から取り出すことができないため、加湿器のメンテナンスやクリーンに不利であること、且つ、このような構造のため、水を添加するときに加湿器全体を動かさなければならず、又は移動式給水により加湿器のハウジング内に直接貯水することになるため、操作しにくく、特に高齢者や子供にとっては安全上のリスクがあることのような顕著な弊害がある。たとえば、出願公開番号がＣＮ１０６９６９４６１Ａ、発明の名称が上部給水式超音波加湿器である中国発明特許出願には、ベースとベースに位置するハウジングとを備え、前記ハウジングは貯水機能を有する中空キャビティ構造であり、ハウジングの最上部に給水用の給水口と排霧用の排霧口が設置され、前記ベースに前記中空キャビティに連通可能な超音波噴霧装置が設置され、且つハウジングの高さＨが第１所定値以下である上部給水式超音波加湿器が開示されている。
【発明の概要】
【発明が解決しようとする課題】
【０００４】
従来技術の欠点を克服するために、本発明は、全体として安定性が高く、水漏れや逆流を防止でき、容易に取り外してクリーンにでき、ファンの効率が高く、構造が丈夫で、保護効果が高く、安全性が高く、操作しやすく、清潔で高級感のある外観をしており、性能が最適化されている加湿器を提供する。
【課題を解決するための手段】
【０００５】
本発明は主に下記技術案を含む。
【０００６】
加湿器であって、ベースと、吐水口が設置されたタンクと、霧化装置と、ベースに設置されて霧化装置が取り付けられた貯水室と、霧化装置による霧を加湿器から排出する排霧通路と、タンク中の水が貯水室に入れられるように吐水口の開閉を制御する吐水制御装置と、上部が開口して水漏れを防止する外被覆体とを備え、タンクは着脱可能に外被覆体内に設置され、外被覆体の上端の最低点がタンクから水が外部へ漏れた後の最高水位より高い。
本発明の加湿器において、さらにダクトとファンを備え、前記ダクトは前記ファンから吹き出された風を前記排霧通路内に導入し、上ダクトと下ダクトを含み、前記上ダクトの吹き出し口が加湿器の上部に位置し前記下ダクトに連通し、前記上ダクトの吹き出し口の最低点のレベル高さがタンクから外部へ漏れた水の最高水位より高い。
【０００７】
本発明の加湿器において、前記上ダクトは前記外被覆体に設置される。
【０００８】
本発明の加湿器において、前記排霧通路に凹キャビティ及び／又は前記タンクに凹キャビティが設けられる。
【０００９】
本発明の加湿器において、前記上ダクトの吹き出し口は前記凹キャビティに連通し、前記凹キャビティは前記下ダクトとなる。
【００１０】
本発明の加湿器において、前記下ダクトはさらに、前記凹キャビティ内に係合された下ダクト壁を含む。
【００１１】
本発明の加湿器において、前記排霧通路と前記タンクは独立に設置され、前記タンクはキャビティが形成され、前記排霧通路の全部又は一部が前記キャビティ内に位置する。
【００１２】
本発明の加湿器において、さらに加熱装置を備え、前記タンクの上部にさらに給水口が設置され、前記排霧通路は、前記霧化装置が作動状態下で生じた水のエネルギー柱が前記排霧通路内にあるように前記霧化装置の真上に設置され、前記ファンは前記加熱装置により生じた蒸気及び前記霧化装置により生じたミストを吹き出す。
【００１３】
本発明の加湿器において、前記吐水制御装置は検出駆動機構と吐水部を含み、前記吐水部は前記吐水口に設置され、直列している第１吐水孔と第２吐水孔を有し、前記第１吐水孔と前記第２吐水孔にはそれぞれバルブが設置され、前記バルブは、前記検出駆動機構による信号に基づいて作動して前記第１吐水孔と前記第２吐水孔を開閉し、それぞれ独立に前記第１吐水孔と前記第２吐水孔を閉じることができる。
【００１４】
本発明の加湿器において、前記バルブは、バルブシート、バルブコア、ウォーターシール部材及びリターン部材を含み、前記バルブコアは前記検出駆動機構による信号に基づいて作動して前記ウォーターシール部材と前記リターン部材を通して前記第１吐水孔と前記第２吐水孔を開閉する。
【００１５】
本発明の加湿器において、前記バルブコアは第１バルブコアと第２バルブコアを含み、前記ウォーターシール部材は第１ウォーターシール部材と第２ウォーターシール部材を含み、前記第１バルブコアは前記第１ウォーターシール部材に接続され、前記第２バルブコアは前記第２ウォーターシール部材に接続され、前記第１バルブコアと前記第２バルブコアの間に連動機構が設置され、前記第１吐水孔と前記第２吐水孔が開いた状態にある場合、前記連動機構は、前記第２ウォーターシール部材の前記第２吐水孔に対する変位を前記第１ウォーターシール部材の前記第１吐水孔に対する変位より大きくする。
【００１６】
本発明の加湿器において、前記連動機構は前記第２バルブコアの最上部に形成されて前記第１バルブコアの底部と嵌め合う突き出しボスであり、前記第１ウォーターシール部材は前記第１吐水孔の上方に位置し、前記第２ウォーターシール部材は前記第２吐水孔の上方に位置する。
【００１７】
本発明の加湿器において、前記連動機構は前記第２バルブコアの最上部に設置されて前記第１バルブコアの底部に挿入されたソフトコネクタであり、前記第１ウォーターシール部材は前記第１吐水孔の下方に位置し、前記第２ウォーターシール部材は前記第２吐水孔の下方に位置する。
【００１８】
本発明の加湿器において、前記連動機構は前記第２バルブコアに設置された斜面体と前記第１バルブコアに設置された斜面スライド溝とを含み、前記斜面体は前記斜面スライド溝内に挿入され且つ前記第１バルブコアを駆動して運動させ、前記第１バルブコアと前記第２バルブコアは一定の角度をなして設置される。
【００１９】
本発明の加湿器において、前記バルブコアは第１バルブコアと第２バルブコアを含み、前記ウォーターシール部材は第１ウォーターシール部材と第２ウォーターシール部材を含み、前記第１バルブコアは前記第１ウォーターシール部材と嵌め合い、前記第２バルブコアは前記第２ウォーターシール部材と嵌め合い、前記第１バルブコアと前記第２バルブコアの間に連動機構が設置され、前記連動機構は前記第２バルブコアの最上部に形成されて前記第１バルブコアの底部と嵌め合う突出しブロックである。
【００２０】
本発明の加湿器において、前記第１バルブコアに第１水通過孔と第１放出孔が設置され、前記第２バルブコアに第２水通過孔と第２放出孔が設置され、前記第１水通過孔は前記第１ウォーターシール部材と嵌め合い、前記第２水通過孔は前記第２ウォーターシール部材と嵌め合い、前記第１バルブコアと前記第２バルブコアはそれぞれ中空構造を有し、前記中空構造はそれぞれ第１水流路と第２水流路となり、前記第１水通過孔と前記第１放出孔は前記第１水流路に連通し、前記第２水通過孔と前記第２放出孔は前記第２水流路に連通する。
【００２１】
本発明の加湿器において、前記第１水通過孔の内径は前記第２水通過孔の内径より小さい。
【発明の効果】
【００２２】
本発明に係る技術案によれば、外被覆体の上部が開口し且つ外への水漏れを防止することができ、外被覆体の上端の最低点がタンクから外部へ漏れた水の最高水位より高く、このように、タンクから水が漏れて貯水室の水位が高すぎる場合にも、加湿器外へ流出しにくい。タンクは着脱可能に外被覆体内に設置されることは、ユーザの水添加操作に有利である。排霧通路とタンクは独立に設置され、排霧通路は着脱可能に外被覆体内に設置されることで、容易に取り外して水垢を除去できる。上下ダクトのような構造を設置することにより、水の下ダクトの吹き出し口を介したファン、電気制御素子内への逆流を防止するとともに、対応部材の機械的強度を高めて補強リブとしての役割を果たし、ファンの風力を効果的に確保し、ユーザによる操作を簡便にして、加湿器に清潔で高級感のある外観を付与する。吐水部の１つの吐水孔が正常に閉じられない場合にも、加湿器は水漏れを発生させずに正常に動作でき、さらに、本発明で使用されるダブルバルブ構造は加湿器の水漏れ率を百万分の一−百万分の十に低下させ、機器の信頼性を大幅に向上させ、加湿器の安全性を高め、性能をより最適化させる。
【図面の簡単な説明】
【００２３】
【図１】加湿器の側部断面図（外被覆体はハウジングで且つパネルを含み、上ダクトはパネル内に位置し、下ダクトは排霧通路の凹キャビティ内に位置する）である。
【図２】加湿器の分解模式図（外被覆体はハウジングで且つパネルを含み、上ダクトはハウジングに位置し、上ダクトと下ダクトはいずれもタンクの外壁の凹キャビティ内に位置し、排霧通路はタンク、外被覆体のいずれとも分離している）である。
【図３】加湿器の分解模式図（外被覆体はハウジングで且つパネルを含み、上ダクトはパネル内に位置し、下ダクトはタンクの外壁の凹キャビティ内に位置し、排霧通路はタンク、外被覆体のいずれとも分離し、下ダクト壁の正面断面は「ｎ」字型である）である。
【図４】加湿器の分解模式図（外被覆体はハウジングで且つパネルを含み、上ダクトはパネルに位置し、下ダクトはタンクの外壁の凹キャビティ内に位置し、排霧通路はタンクと完全に結合し、下ダクト壁の正面断面は「ｎ」字型である）である。
【図５】加湿器の分解模式図（外被覆体はハウジングで且つパネルを含み、上ダクトはパネルに位置し、下ダクトはタンクの外壁の凹キャビティ内に位置し、排霧通路はタンク、外被覆体と部分的に結合し、下ダクト壁の正面断面は「１１」型である）である。
【図６】図３、図４中の正面断面が「ｎ」字型の下ダクト壁の側部断面図である。
【図７】図５中の正面断面が「１１」型の下ダクト壁の側部断面図である。
【図８】加湿器の吐水部のダブルバルブ構造の断面図である。
【図９】本発明の実施例１に示された加湿器の吐水部の断面模式図である。
【図１０】本発明の実施例２に示された加湿器の吐水部の断面模式図である。
【図１１】本発明の実施例３に示された加湿器の吐水部の断面模式図である。
【図１２】本発明の実施例４に示された加湿器の吐水部の断面模式図である。
【発明を実施するための形態】
【００２４】
以下、図面を参照しながら本発明による技術案について更に説明する。
【００２５】
図１−図７に示されるように、加湿器は、ベース１と、吐水口が設置されたタンク２と、霧化装置１２と、ベース１に設置されて霧化装置１２が取り付けられた貯水室１１と、霧化装置１２による霧を加湿器から排出する排霧通路３と、タンク２中の水が貯水室１１に入れられるように吐水口の開閉を制御する吐水制御装置と、上部が開口して外への水漏れを防止する外被覆体７とを備え、タンク２は着脱可能に外被覆体７内に設置され、外被覆体７の上端の最低点がタンク２から外へ漏れた水の最高水位より高い。好ましくは、外被覆体７の上端の最低点のレベル高さが、タンク２から水が漏れたときにタンク２中の水がタンクの最高作動水位から低下して外被覆体７内へ溢れたときの外被覆体７内の水位のレベル高さより高い。タンクは着脱可能に外被覆体内に設置されることは、ユーザが加湿器からタンクを取り出して水を添加することに有利であり、加湿器全体を運搬せずに済み、安全性が高まり、好ましくは、外被覆体は、透かし構造又は貫通孔等の設計がない密閉型とすることで、タンクからの水漏れにより貯水室等での液面が高すぎるときに水が加湿器外へ漏れることを防止し、外部環境を濡らすことによる安全上の事故を回避できる。好ましくは、外被覆体７はハウジングであってもよく、ハウジングはベース１の外壁に設置されて、垂直方向に沿って上へ延びており、その延び方式については一体成形するように上へ延びる方式又は密封接続されるように上へ延びる方式を含むが、それらに制限されず、外被覆体７はさらにパネルを含んでもよく、パネルはベース１の外壁の先端に設置されて中空構造を有し、左右縁がハウジングに密封接続され、操作インターフェース、表示インターフェースが設置され、このような構造を設計することにより、加湿器に高級感のある外観を付与する。
【００２６】
図１−図７に示されるように、さらにダクトとファン５を備え、ダクトはファン５から吹き出された風を排霧通路３内に導入し、上ダクト４１と下ダクト４２を含み、上ダクトの吹き出し口４１１が加湿器の上部に位置し下ダクト４２に連通し、上ダクトの吹き出し口４１１の最低点の高さがタンク２から漏れた水の最高水位より高い。好ましくは、上ダクトの吹き出し口４１１の最低点のレベル高さが、水が漏れた後にタンク２中の水がタンクの最高作動水位から低下して外被覆体７内へ溢れたときの外被覆体７内の水位のレベル高さより高い。好ましくは、ファン５は加湿器の下部に設置され、このような構造を設計することにより、加湿器の重心が下部に位置することが確実に確保され、全体としてより安定的になる。好ましくは、上ダクト４１内にファン５が設置され、又は、ファン５の吹き出し口が上ダクト４１の吹き込み口に連通し、加湿器の電気制御素子等も上ダクト４１内又は上ダクト４１を仕切ってなる安全な位置に設置されてもよく、このような構造を設計することにより、貯水室の水面が高すぎるとき、水の下ダクトの吹き出し口を介したファン、電気制御素子等への逆流を防止し、部材の安全性を高める。上ダクトの吹き出し口は加湿器の上部に位置し下ダクトに連通し、上ダクトの吹き出し口の最低点のレベル高さが、水が漏れた後にタンク中の水がタンクの最高作動水位から低下して外被覆体内に溢れたときの外被覆体内の水位のレベル高さより高く、このような構造を設計することにより、タンクから水が漏れていても、下ダクトの吹き出し口を介して上ダクトの吹き出し口に逆流することがなく、漏れた水の水位が高くなり、タンク中の水の水位が低下したとき、上ダクトの吹き出し口の位置が高いため、空気圧力の作用下で、漏れた水が所定の高さまで上がっても、上ダクトの吹き出し口を超える恐れがない。
【００２７】
図１−図７に示されるように、上ダクト４１は外被覆体７に設置される。好ましくは、外被覆体７がハウジングである場合、上ダクト４１はハウジングに設置され、さらに、外被覆体７がさらにパネルを含む場合、上ダクト４１はパネル内に設置される。
【００２８】
図１−図７に示されるように、排霧通路３に凹キャビティ及び／又はタンク２に凹キャビティが設けられる。好ましくは、凹キャビティは排霧通路３及び／又はタンク２の外壁の外被覆体７に当接する一側に位置する。好ましくは、排霧通路３に凹キャビティ及び／又はタンク２の外壁に凹キャビティが設けられ、凹キャビティは直線形であっても曲線形であってもよく、その延び方向に制限がない。凹キャビティの構造を設計することは、補強リブとしての役割を果たし、コンポーネントの機械的強度を向上できる。
【００２９】
図１−図７に示されるように、上ダクトの吹き出し口４１１は凹キャビティに連通し、凹キャビティは下ダクト４２となる。好ましくは、凹キャビティと外被覆体７は下ダクト４２を構成する。好ましくは、上ダクト４１と下ダクト４２は「ｎ」字型又は「几」字型の構造になり、好ましくは、上ダクト４１及び／又は下ダクト４２は直線形をしており、上ダクト４１及び／又は下ダクト４２は垂直方向に沿って設置されるか、又は、垂直方向と一定の角度をなすように設置されてもよい。好ましくは、凹キャビティはさらに上ダクト４１を含んでもよい。
【００３０】
図３−図７に示されるように、下ダクト４２はさらに凹キャビティ内に係合された下ダクト壁４２２を含む。好ましくは、下ダクト壁４２２は全部又は一部が凹キャビティ内に係合される。好ましくは、下ダクト壁４２２はさらに、風を上ダクトの吹き出し口４１１から下ダクト４２に入るように案内する下ダクトプレート４２２１を含み、下ダクト壁４２２の正面断面は「ｎ」字型又は「１１」型であり、そのうち、「１１」型構造を設計することにより、水が逆流して上ダクトの吹き出し口にアプローチしようとするときに迅速に排出できる。下ダクト壁４２２の正面断面が「ｎ」字型である場合、上ダクトの吹き出し口４１１はｎ字型の曲げ部分に対応し、下ダクト壁４２２と嵌め合う一側において、タンク２及び／又は排霧通路３の最高点のレベル高さが、上ダクトの吹き出し口４１１の最高点より高くてもよくまたはそれ以下でもよく、下ダクト壁４２２の正面断面が「１１」型である場合、下ダクト壁４２２と嵌め合う一側において、タンク２及び／又は排霧通路３の最高点のレベル高さが、凹キャビティ無しのハウジングを残して１１形の上端にある開口部を密閉させるように、少なくとも上ダクトの吹き出し口４１１の最高点のレベル高さより１ｍｍ以上高く、好ましくは、８ｍｍ−２０ｍｍより高く、このような構造を設計することにより、下ダクト壁４２２の正面断面が「１１」型である場合、下ダクト壁４２２とタンクの凹キャビティ及び／又は排霧通路の凹キャビティの嵌合により、上ダクトの吹き出し口４１１から吹き出された風を下ダクト４２内に案内し、且つ、このとき、上ダクトの吹き出し口４１１の位置以上にある外被覆体７のレベル高さが、少なくとも凹キャビティの最高点を密閉できるレベル高さに達する。
【００３１】
下ダクト壁の設置は案内と位置決めの役割を果たし、ユーザによるタンクのリセット操作に有利であり、さらに、下ダクト壁は上ダクトの吹き出し口から吹き出された風が外被覆体、タンク、排霧通路の間にある隙間を介して消失することを抑制して、風力増大、ファンの作業効率向上に寄与する。図１−図５に示されるように、排霧通路３とタンク２は独立に設置され、タンク２はキャビティが形成され、排霧通路３の全部又は一部がキャビティ内に位置する。
【００３２】
好ましくは、排霧通路３は、タンク２と完全に分離、完全に結合又は部分的に結合し、好ましくは、外被覆体７と完全に分離、完全に結合又は部分的に結合、好ましくは、それぞれ外被覆体７及びタンク２と完全に分離可能に、タンク２外に設置される。好ましくは、タンク２の外壁に排霧通路３を収容するキャビティが設置されている。キャビティは、補強リブとしての役割を果たすとともに、タンクの機械的強度を向上させ、さらにユーザがタンクへ水を添加してタンクを加湿器に戻すときの操作をも容易にし、位置決めと案内の作用を有する。ここで、独立に設置されることは、排霧通路とタンクが接続されていない２つの部材である場合を含むが、それに制限されず、ユーザは加湿器からタンクと排霧通路をそれぞれ取り出すことが可能であり、取り外して異物や水垢等をクリーンにすることが容易になる。このような構造の設計は、タンクが排霧通路を囲んで設置される、又は排霧通路がタンク外に設置される等の場合を含む。
【００３３】
好ましくは、さらに加熱装置を備え、タンク２の上部にさらに給水口が設置され、排霧通路３は、霧化装置１２が作動状態下で生じた水のエネルギー柱（エネルギーを有する水柱）が排霧通路３内にあるように、霧化装置１２の真上に設置され、ファン５は加熱装置により生じた蒸気及び霧化装置１２により生じたミストを引き出す。好ましくは、排霧通路３は垂直方向に沿って設置され、排霧通路３の霧入り口の縁部が所在する平面は水平面に平行である。このような構造を設計することにより、エネルギー柱は排霧通路の中空管キャビティに直面するようになり、霧化装置の液面のエネルギー柱が排霧通路内で放出されて、エネルギー柱のエネルギーによるコンポーネントへの衝撃、打撃を防止できる。霧化装置の液面が高くなり又はタンク中の水が漏れて霧化装置の液面を高くするとしても、エネルギー柱による破壊力を効果的に回避して、加湿器のコンポーネントの耐用年数を延長させ、また、このような構造設計によれば、タンクが連続的に水漏れをしている場合、排霧通路を介して、エネルギーが水位の上昇に伴い高まる水のエネルギー柱を案内したり回避したりして、エネルギー柱による破壊力を減少できる。
実施例１
【００３４】
図８−図１２に示されるように、吐水制御装置は、検出駆動機構２１１と吐水部２１２を含み、吐水部２１２は吐水口に設置され、直列している第１吐水孔２１２０１と第２吐水孔２１２０２を有し、第１吐水孔２１２０１と第２吐水孔２１２０２にそれぞれバルブが設置され、バルブは検出駆動機構２１１による信号に基づいて作動して第１吐水孔２１２０１と第２吐水孔２１２０２を開閉し、それぞれ独立に第１吐水孔２１２０１と第２吐水孔２１２０２を閉じることができる。第１吐水孔２１２０１と第２吐水孔２１２０２が互いに直列されることで、タンク２中の水は貯水室１１に入るまでに、まず第１吐水孔２１２０１を通過し、次に第２吐水孔２１２０２を通過する必要がある。好ましくは、吐水口の縁部が下へ延びてスリーブを形成し、スリーブに雌ねじが設置され、吐水部２１２の外周に雄ねじが設置され、吐水口のスリーブと吐水部２１２はねじ接続される。タンク２中の水の吐水口スリーブと吐水部２１２の間にあるスリットからの漏れを防止するために、吐水口のスリーブと吐水部２１２との接続部にシール部材が設置され、又は、吐水口と吐水部２１２が一体成形されるようにしてもよい。１つの吐水孔が部品破損又は水中の異物による目詰りにより正常に作動できなくなっても、別の吐水孔は正常に作動でき、さらに、相互に直列している２つの吐水孔にそれぞれバルブが設置されることで、加湿器のタンクの水漏れの可能性を大幅に低下させて、加湿器の安全性を向上させる。好ましくは、吐水部２１２は水通過室２１２１０を有する。
【００３５】
図８−図１２に示されるように、バルブは、バルブシート２１２１、バルブコア２１２２、ウォーターシール部材２１２３及びリターン部材２１２４を含み、バルブコア２１２２は検出駆動機構２１１による信号に基づいて作動してウォーターシール部材２１２３とリターン部材２１２４を通して第１吐水孔２１２０１と第２吐水孔２１２０２を開閉する。吐水制御装置における検出駆動機構２１１は、貯水室１１中の水量が不足するときに水不足信号を発生させ、バルブコア２１２２は検出駆動機構２１１による信号に基づいて作動してウォーターシール部材２１２３を通して第１吐水孔２１２０１と第２吐水孔２１２０２を開いて、タンク２中の水が貯水室１１に入る。検出駆動機構２１１は、貯水室１１中の水量が予定値になったときに停水信号を発生させ、バルブコア２１２２は検出駆動機構２１１による信号に基づいて作動してウォーターシール部材２１２３とリターン部材２１２４を通して第１吐水孔２１２０１と第２吐水孔２１２０２を閉じ、タンク中の水の貯水室１１への流入を停止する。好ましくは、リターン部材２１２４はバネである。
【００３６】
図９−図１２に示されるように、バルブコア２１２２は第１バルブコア２１２２１と第２バルブコア２１２２２を含み、ウォーターシール部材２１２３は第１ウォーターシール部材２１２３１と第２ウォーターシール部材２１２３２を含み、第１バルブコア２１２２１は第１ウォーターシール部材２１２３１に接続され、第２バルブコア２１２２２は第２ウォーターシール部材２１２３２に接続され、第１バルブコア２１２２１と第２バルブコア２１２２２の間に連動機構２１２２０が設置され、第１吐水孔２１２０１と第２吐水孔２１２０２が開いた状態にある場合、連動機構２１２２０は、第２ウォーターシール部材２１２３２の第２吐水孔２１２０２に対する変位を第１ウォーターシール部材２１２３１の第１吐水孔２１２０１に対する変位より大きくする。
【００３７】
図９に示されるように、連動機構２１２２０は第２バルブコア２１２２２の最上部に形成されて第１バルブコア２１２２１の底部と嵌め合う突き出しボスであり、第１ウォーターシール部材２１２３１は第１吐水孔２１２０１の上方に位置し、第２ウォーターシール部材２１２３２は第２吐水孔２１２０２の上方に位置する。好ましくは、第１ウォーターシール部材２１２３１は第１バルブコア２１２２１の最上部に固定して接続され、第２ウォーターシール部材２１２３２は第２バルブコア２１２２２の最上部に固定して接続される。好ましくは、突き出しボスと第１バルブコア２１２２１の底部の間に所定の距離がある。このような構造を設計することにより、第２バルブコアがたとえばバネ破損又は検出駆動機構の故障により回復できない場合、第１バルブコアの回復に大きな影響を及ぼさないようにする。
【００３８】
本発明に係る上記技術案によれば、検出駆動機構により水不足信号が生成すると、貯水池にあるフロートが下へ移動して、それに接続されたレバーを連動して軸回りに運動させ、レバーのフロートに接続された対応端が第２バルブコアに当接され、第２バルブコアはそれに伴い上へ移動してバネを圧縮状態にし、第２バルブコアはジャッキされると第２ウォーターシール部材を連動して第２吐水孔から離させ、第２吐水孔が開いた状態になり、第２バルブコアは上へ移動し続け、第２バルブコアの最上部に位置する突き出しボスにより第１バルブコアをジャッキし、第１バルブコアは第１ウォーターシール部材を連動して第１吐水孔から離れさせ、第１吐水孔が開いた状態になり、タンク中の水が第１吐水孔を経て水通過室に入り、水通過室を介して第２吐水孔から貯水室に入る。検出駆動機構により停水信号が生成すると、貯水池に位置するフロートが上へ移動して、第２バルブコアと第１バルブコアもバネの作用下で下へ移動し、第２ウォーターシール部材と第１ウォーターシール部材はそれぞれ第２吐水孔と第１吐水孔を密閉させて、タンク中の水が貯水室へ入ることが停止する。研究結果から明らかなように、従来のシングルバルブ密封構造では、水漏れが発生する確率は千分の一−千分の三である。本発明に係る技術案によれば、ダブルバルブ構造が使用されており、加湿器の部品破損又は水中の異物により１つの吐水孔が正常に閉じられない場合にも、加湿器は水漏れせずに正常な動作をすることが効果的に確保でき、さらに、本発明で使用されるダブルバルブ構造は、加湿器の水漏れ率を百万分の一−百万分の十に低下させ、機器の信頼性を大幅に向上させ、加湿器の安全性を高め、性能をより最適化させる。
実施例２
【００３９】
図１０に示されるように、連動機構２１２２０は第２バルブコア２１２２２の最上部に設置されて第１バルブコア２１２２１の底部に挿入されるソフトコネクタであり、第１ウォーターシール部材２１２３１は第１吐水孔２１２０１の下方に位置し、第２ウォーターシール部材２１２３２は第２吐水孔２１２０２の下方に位置する。好ましくは、第１ウォーターシール部材２１２３１は第１バルブコア２１２２１の最上部に固定して接続され、第２ウォーターシール部材２１２３２は第２バルブコア２１２２２の最上部に固定して接続される。上記以外、本実施例の前記構造は実施例１と同様である。
【００４０】
本発明に係る上記技術案によれば、検出駆動機構により水不足信号が生成すると、貯水池にあるフロートが下へ移動して、それに接続されたレバーを連動して軸回りに運動させ、レバーのフロートに接続された一側も第２バルブコアに接続され、第２バルブコアはそれに伴い下へ移動してバネを圧縮状態にし、第２バルブコアは下へ引っ張られると第２ウォーターシール部材を連動して第２吐水孔から離させ、第２吐水孔が開いた状態になり、第２バルブコアは下へ移動し続け、第２バルブコアの最上部に位置するソフトコネクタにより第１バルブコアを下へ引っ張り、第１バルブコアは第１ウォーターシール部材を連動して第１吐水孔から離れさせ、第１吐水孔が開いた状態になり、タンク中の水が第１吐水孔を経て水通過室に入り、水通過室を介して第２吐水孔から貯水室に入る。検出駆動機構により停水信号が生成すると、貯水池に位置するフロートが上へ移動して、第２バルブコアと第１バルブコアもバネの作用下で上へ移動し、第２ウォーターシール部材と第１ウォーターシール部材はそれぞれ第２吐水孔と第１吐水孔を密閉させて、タンク中の水が貯水室へ入ることが停止する。本発明に係る技術案は、機器の信頼性を大幅に向上させ、加湿器の安全性を高め、性能をより最適化させる。
実施例３
【００４１】
図１１に示されるように、連動機構２１２２０は第２バルブコア２１２２２に設置された斜面体と第１バルブコア２１２２１に設置された斜面スライド溝とを含み、斜面体は斜面スライド溝内に挿入され且つ第１バルブコア２１２２１を駆動して運動させ、第１バルブコア２１２２１と第２バルブコア２１２２２は一定の角度をなして設置される。好ましくは、第１バルブコア２１２２１は水平方向に設置され、第２バルブコア２１２２２は垂直方向に設置され、すなわち、第１バルブコア２１２２１と第２バルブコア２１２２２は９０°をなして設置される。好ましくは、第１ウォーターシール部材２１２３１は第１吐水孔２１２０１の前方に位置し、第２ウォーターシール部材２１２３２は第２吐水孔２１２０２の上方に位置する。好ましくは、第１ウォーターシール部材２１２３１は第１バルブコア２１２２１の最上部に固定して接続される。上記以外、本実施例の前記構造は実施例１と同様である。
【００４２】
本発明に係る上記技術案によれば、検出駆動機構により水不足信号が生成すると、貯水池にあるフロートが下へ移動して、それに接続されたレバーを連動して軸回りに運動させ、レバーのフロートに接続された対応端も第２バルブコアに当接され、第２バルブコアはそれに伴い上へ移動してバネを圧縮状態にし、第２バルブコアはジャッキされると第２ウォーターシール部材を連動して第２吐水孔から離させ、第２吐水孔が開いた状態になり、第２バルブコアは上へ移動し続け、第２バルブコアの最上部に位置する斜面体が第１バルブコアにある斜面スライド溝内をスライドすることにより、第１バルブコアを前へ移動させ、第１バルブコアは第１ウォーターシール部材を連動して第１吐水孔から離れさせ、第１吐水孔が開いた状態になり、タンク中の水が第１吐水孔を経て水通過室に入り、水通過室を介して第２吐水孔から貯水室に入る。検出駆動機構により停水信号が生成すると、貯水池に位置するフロートが上へ移動して、第２バルブコアはバネの作用下で下へ移動し、第１バルブコアはバネの作用下で後へ移動し、第２ウォーターシール部材と第１ウォーターシール部材はそれぞれ第２吐水孔と第１吐水孔を密閉させて、タンク中の水が貯水室へ入ることが停止する。本発明に係る技術案は、機器の信頼性を大幅に向上させ、加湿器の安全性を高め、性能をより最適化させる。
実施例４
【００４３】
図１２に示されるように、バルブコア２１２２は第１バルブコア２１２２１と第２バルブコア２１２２２を含み、ウォーターシール部材２１２３は第１ウォーターシール部材２１２３１と第２ウォーターシール部材２１２３２を含み、第１バルブコア２１２２１は第１ウォーターシール部材２１２３１と嵌め合い、第２バルブコア２１２２２は第２ウォーターシール部材２１２３２と嵌め合い、第１バルブコア２１２２１と第２バルブコア２１２２２の間に連動機構２１２２０が設置され、連動機構２１２２０は第２バルブコア２１２２２の最上部に形成されて第１バルブコア２１２２１の底部と嵌め合う突出しブロックである。好ましくは、突出しブロックと第１バルブコア２１２２１の底部の間に所定の距離がある。このような構造を設計することにより、第２バルブコアがたとえばバネ破損又は検出駆動機構の故障により回復できない場合、第１バルブコアの回復に大きな影響を及ぼさないようにする。
【００４４】
図１２に示されるように、第１バルブコア２１２２１に第１水通過孔２１２２１１と第１放出孔２１２２１２が設置され、第２バルブコア２１２２２に第２水通過孔２１２２２１と第２放出孔２１２２２２が設置され、第１水通過孔２１２２１１は第１ウォーターシール部材２１２３１と嵌め合い、第２水通過孔２１２２２１は第２ウォーターシール部材２１２３２と嵌め合う。第１吐水孔２１２０１と第２吐水孔２１２０２が閉じられた状態にある場合、第１ウォーターシール部材２１２３１は第１水通過孔２１２２１１を密閉させ、且つ第２ウォーターシール部材２１２３２は第２水通過孔２１２２２１を密閉させ、第１吐水孔２１２０１と第２吐水孔２１２０２が開いた状態にある場合、第１水通過孔２１２２１１は第１ウォーターシール部材２１２３１以外に移動し、且つ、第２水通過孔２１２２２１は第２ウォーターシール部材２１２３２以外に移動し、タンク２中の水が第１吐水孔２１２０１と第２吐水孔２１２０２を経て貯水室１１に入る。第１バルブコア２１２２１と第２バルブコア２１２２２はそれぞれ中空構造を有し、中空構造はそれぞれ第１水流路及び第２水流路となり、第１水通過孔２１２２１１と第１放出孔２１２２１２は第１水流路に連通し、第２水通過孔２１２２２１と第２放出孔２１２２２２は第２水流路に連通する。タンク２中の水が第１水通過孔２１２２１１を経て第１バルブコア２１２２１の内部に入り、次に第１放出孔２１２２１２を経て第１バルブコア２１２２１から排出され、同様に、水が第２水通過孔２１２２２１を経て第２バルブコア２１２２２の内部に入り、次に第２放出孔２１２２２２を経て第２バルブコア２１２２２から排出される。好ましくは、第１ウォーターシール部材２１２３１は第１吐水孔２１２０１の内縁に固定して設置され、第２ウォーターシール部材２１２３２は第２吐水孔２１２０２の内縁に固定して設置される。
【００４５】
図１２に示されるように、第１水通過孔２１２２１１の内径が第２水通過孔２１２２２１の内径より小さい。上記以外、本実施例の前記構造は実施例１と同様である。このような構造を設計することにより、水通過室における水の滞在を効果的に防止する。
【００４６】
以上は本発明の実施例を説明したが、当業者であれば、本発明の原理と精神を逸脱することなく、上記実施例について変形を実施でき、本発明の保護範囲は前記特許請求の範囲及びその等同物により限定されることが理解されるべきである。
【符号の説明】
【００４７】
１  ベース
２  タンク
３  排霧通路
５  ファン
１１  貯水室
１２  霧化装置
４１  上ダクト
４２  下ダクト
４１１  上ダクトの吹き出し口
４２１  下ダクトの吹き出し口
４２２  下ダクト壁
４２２１  下ダクトプレート
７  外被覆体
２１１  検出駆動機構
２１２  吐水部
２１２１  バルブシート
２１２２  バルブコア
２１２３  ウォーターシール部材
２１２４  リターン部材
２１２１０  水通過室
２１２０１  第１吐水孔
２１２０２  第２吐水孔
２１２２１  第１バルブコア
２１２２２  第２バルブコア
２１２３１  第１ウォーターシール部材
２１２３２  第２ウォーターシール部材
２１２２０  連動機構
２１２２１１  第１水通過孔
２１２２１２  第１放出孔
２１２２２１  第２水通過孔
２１２２２２  第２放出孔
【図１】
2019168211.tif 000003
【図２】
2019168211.tif 000004
【図３】
2019168211.tif 000005
【図４】
2019168211.tif 000006
【図５】
2019168211.tif 000007
【図６】
2019168211.tif 000008
【図７】
2019168211.tif 000009
【図８】
2019168211.tif 000010
【図９】
2019168211.tif 000011
【図１０】
2019168211.tif 000012
【図１１】
2019168211.tif 000013
【図１２】
2019168211.tif 000014